(57)【要約】【課題】リングから外れにくいリングカバーを提供すること。【解決手段】リングカバーは、リングの第１部位が装着される第１装着部と、リングの第２部位が装着される第２装着部と、第１装着部および第２装着部をリングに装着した状態において、第１装着部と第２装着部との間を、リングの中空部を渡って連結する第１連結部と、を備え、第１連結部は、第１装着部および第２装着部の外周側の面に続く外面に、凹形状の逃げ部を有する。【選択図】図６
2014092658.tif 000002
【特許請求の範囲】
【請求項１】
リングの第１部位が装着される第１装着部と、
前記リングの第２部位が装着される第２装着部と、
前記第１装着部および前記第２装着部を前記リングに装着した状態において、前記リングの中空部を渡って前記第１装着部と前記第２装着部との間を連結する第１連結部と
を備え、
前記第１連結部は、前記第１装着部および前記第２装着部の外周側の面に続く外面に、凹形状の逃げ部を有する
リングカバー。
【請求項２】
前記第１連結部は、前記外面の反対側の内面に、前記逃げ部の凹形状に対応する凸形状を有する
請求項１に記載のリングカバー。
【請求項３】
前記第１装着部および前記第２装着部のそれぞれは、
前記第１連結部の前記外面に続く外面を有する第１部分と、
前記第１部分に対向する第２部分と
を有し、
前記第１装着部および前記第２装着部を前記リングに装着した状態において、前記第１部分および前記第２部分は前記リングを挟着し、
前記第１装着部および前記第２装着部は、それぞれ前記第１部分の外面に切り欠き面を有する
請求項１または２に記載のリングカバー。
【請求項４】
前記第１装着部および前記第２装着部を前記リングに装着した状態において、前記リングの外周より外側の位置を通って、前記第１装着部と前記第２装着部とを連結する第２連結部
をさらに備え、
前記リングの前記第１部位と前記第２部位との間の間隔は、前記リングにおいて前記第１装着部および前記第２装着部に装着されない第１部分における前記リングの間隔以上であり、
前記第２連結部は、前記第１装着部および前記第２装着部を前記リングに装着した状態において、前記リングにおいて前記第１装着部および前記第２装着部に装着されない第２部分における第３部位の外周より外側の位置を通って、前記第１装着部と前記第２装着部とを連結し、
前記第２連結部は、前記第１装着部および前記第２装着部を前記リングに装着した状態における前記外側の位置に突起部を有し、
前記突起部は、前記リングカバーが前記リングに装着された場合に、前記リングが前記外側の位置より更に外へ移動するのを係止する
請求項１から３のいずれか一項に記載のリングカバー。
【請求項５】
前記第１装着部および前記第２装着部を前記リングに装着した状態において、前記第１連結部は、前記リングにおいて前記第１装着部および前記第２装着部に装着されない第１部分とともに、機器本体に前記リングを取り付けるための環状部を形成する
請求項１から４のいずれか一項に記載のリングカバー。
【請求項６】
前記第１装着部と前記第２装着部とを連結する第２連結部
をさらに備え、
前記第２連結部は、前記第１装着部および前記第２装着部を前記リングに装着した状態において、前記リングにおいて前記第１装着部および前記第２装着部に装着されない第２部分に沿う形状を有し、
前記第１連結部および前記第２連結部は、前記機器本体を吊るすストラップベルトを前記リングの中空部を介して前記リングに装着するための環状部を形成する
請求項５に記載のリングカバー。
【請求項７】
前記第１装着部には、三角形状を有する前記リングの第１の辺における前記第１部位が装着され、
前記第２装着部には、前記リングの第２の辺における前記第２部位が装着される
請求項１から６のいずれか一項に記載のリングカバー。
【請求項８】
請求項１から７のいずれか一項に記載のリングカバーと、
前記リングと、
機器本体と
を備え、
前記機器本体は、前記リングを前記機器本体に取り付けるリング取付部を有し、
前記機器本体は、前記リング取付部の周部に、前記周部の外側の面より外に盛り上がった盛り上がり面を有し、
前記逃げ部は、少なくとも前記逃げ部の最凹部が前記盛り上がり面に当接しない深さの凹形状を有する
機器。
【発明の詳細な説明】
【技術分野】
【０００１】
本発明は、リングカバーおよび機器に関する。
【背景技術】
【０００２】
電子カメラに取り付けられたストラップ金具に連結され、ストラップベルトを掛けるための三角金具が知られている（例えば、特許文献１参照）。
［先行技術文献］
［特許文献］
［特許文献１］特開平５−２６９０１５号公報
【発明の概要】
【発明が解決しようとする課題】
【０００３】
リングの異なる部位を装着するリングカバーにおいては、リングを装着する装着部を連結する部分に力が加わると、リングカバーがリングから外れ易くなる場合がある。
【課題を解決するための手段】
【０００４】
本発明の第１の態様においては、リングカバーは、リングの第１部位が装着される第１装着部と、リングの第２部位が装着される第２装着部と、第１装着部および第２装着部をリングに装着した状態において、リングの中空部を渡って第１装着部と第２装着部との間を連結する第１連結部とを備え、第１連結部は、第１装着部および第２装着部の外周側の面に続く外面に、凹形状の逃げ部を有する。
【０００５】
本発明の第２の態様においては、機器は、上記リングカバーと、リングと、機器本体とを備え、機器本体は、リングを機器本体に取り付けるリング取付部を有し、機器本体は、リング取付部の周部に、周部の外側の面より外に盛り上がった盛り上がり面を有し、逃げ部は、少なくとも逃げ部の最凹部が盛り上がり面に当接しない深さの凹形状を有する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】一実施形態におけるカメラシステムの外観の一例を示す。
【図２】カメラ本体３００の正面図を示す。
【図３】カメラの上部から見た場合の平面図を示す。
【図４】カメラ本体３００の背面図を示す。
【図５Ａ】吊金具２００が固定された上部筐体５００の断面図を示す。
【図５Ｂ】上部筐体５００を筐体内側から見た斜視図を示す。
【図６】リングユニットの外観を示す。
【図７】リングユニットを他の方向から見た場合の外観を示す。
【図８】リングユニットを、頂部から見た場合の外観を示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、一実施形態におけるカメラシステムの外観の一例を示す。カメラシステムは、ストラップベルト５、三角リング１００、三角リング１１０、リングカバー１０、リングカバー１１およびカメラ本体３００を有する。図１は、カメラ本体３００の正面から見た場合のカメラシステムの外観の一例を示す。
【００１０】
カメラ本体３００は、吊金具２００および吊金具２１０を有する。三角リング１００およびリングカバー１０を有するリングユニットは、カメラ本体３００を吊るすためのストラップベルト５をカメラ本体３００に取り付けるストラップベルト取付ユニットとして機能する。
【００１１】
吊金具２００は、三角リング１００をカメラ本体３００に取り付ける。吊金具２１０は、三角リング１１０をカメラ本体３００に取り付ける。吊金具２００および吊金具２１０は、それぞれ三角リングをカメラ本体に取り付けるリング取付部の一例である。
【００１２】
三角リング１００および三角リング１１０は、それぞれ三角形状を有する。三角リング１００および三角リング１１０のそれぞれの三角形状の中空部には、ストラップベルト５が掛けられる。ストラップベルト５の一端は、三角リング１００の中空部から挿通されてストラップベルト５に巻き着けられる。ストラップベルト５の他端は、三角リング１１０の中空部から挿通されてストラップベルト５に巻き着けられる。三角リング１００および三角リング１１０は、それぞれ金属で形成された金属リングである。例えば、三角リング１００および三角リング１１０は、金属棒が曲げ加工された金属リングである。より具体的には、三角リング１００および三角リング１１０は、金属棒が巻き曲げ加工された金属リングである。
【００１３】
リングカバー１０およびリングカバー１１は、それぞれ三角リング１００および三角リング１１０に装着される。ストラップベルト５は、リングカバー１０およびリングカバー１１がそれぞれ三角リング１００および三角リング１１０に装着された状態で、三角リング１００に取り付けられる。リングカバー１０およびリングカバー１１は、それぞれ可撓性を有する素材で形成される。例えば、リングカバー１０およびリングカバー１１は、それぞれ樹脂で形成される。
【００１４】
リングカバー１０およびリングカバー１１は、それぞれ三角リング１００および三角リング１１０の変形を抑制する。例えば、リングカバー１０およびリングカバー１１は、それぞれ三角リング１００および三角リング１１０の巻き加工された状態が解けてしまうことを抑制する。また、リングカバー１０およびリングカバー１１は、それぞれ三角リング１００および三角リング１１０がカメラ本体３００に接触するのを抑制して、カメラ本体３００をそれぞれ三角リング１００および三角リング１１０から保護する。
【００１５】
吊金具２００は、カメラ本体３００の上部筐体５００に固定される。上部筐体５００には、操作部材が配置された操作部３２０を有する。吊金具２００は、操作部３２０の近傍に設けられる。
【００１６】
グリップ部３１０は、上部筐体５００の下部に、上部筐体５００に組み付けられる。グリップ部３１０は、カメラ本体３００の側部に位置する。具体的には、グリップ部３１０は、カメラ本体３００の右側の側部に位置する。ここで、右側および左側とは、カメラ本体３００の背面から見た場合の呼称である。
【００１７】
上部筐体５００は、グリップ部３１０と操作部３２０との間に斜面部を有する。吊金具２００は、グリップ部３１０と操作部３２０との間に位置する。具体的には、吊金具２００は、グリップ部３１０と操作部３２０との間の上部筐体５００の斜面部に固定されている。上部筐体５００は、吊金具２００が固定される部位の周部に、盛り上がった形状を持つ面を有する。このように、カメラ本体３００は、吊金具２００の周部に、吊金具２００の周部の外側の面より外に盛り上がった盛り上がり部３３０を有する。
【００１８】
カメラ本体３００は、レンズユニットをカメラ本体３００に取り付けるレンズ装着部３４０を有する。レンズ装着部３４０は、交換式のレンズユニットを着脱可能に装着するレンズマウントとして機能する。
【００１９】
吊金具２１０は、カメラ本体３００の上部筐体５００に固定される。吊金具２１０は、上部筐体５００において、吊金具２００に略対向する位置に固定される。吊金具２１０と吊金具２００との間には、レンズ装着部３４０が位置する。吊金具２１０は、カメラ本体３００の左側の側部から突出するように、上部筐体５００に固定される。
【００２０】
図２は、カメラ本体３００の正面図を示す。図３は、カメラの上部から見た場合の平面図を示す。図４は、カメラ本体３００の背面図を示す。図２−４は、三角リング１００がカメラ本体３００に取り付けられていない状態を示す。
【００２１】
吊金具２００は、三角リング１００を挿通するための環状部２０２を有する。環状部２０２は、上部筐体５００の斜面部より外に突き出た位置にある。吊金具２１０は、三角リング１１０を挿通するための環状部２１２を有する。環状部２１２は、上部筐体５００の左側側部より外に突き出た位置にある。
【００２２】
上部筐体５００には、操作部３２０に設けられた操作部材として、サブコマンドダイヤル４００、レリーズボタン４２０、電源スイッチ４３０、露出補正ボタン４４０、モードボタン４５０、動画撮影ボタン４６０、ＡＦ作動ボタン４７０およびメインコマンドダイヤル４８０が設けられる。上部筐体５００には、表示部の一例としての上部表示パネル４１０が上面部に設けられる。サブコマンドダイヤル４００、レリーズボタン４２０、電源スイッチ４３０、露出補正ボタン４４０、モードボタン４５０および動画撮影ボタン４６０は、上部表示パネル４１０よりグリップ部３１０に近い位置に設けられる。
【００２３】
操作部３２０に設けられた操作部材は、ユーザがグリップ部３１０を把持した状態で、グリップ部３１０を把持した手で操作可能な場所に位置する。サブコマンドダイヤル４００、レリーズボタン４２０、電源スイッチ４３０、露出補正ボタン４４０、モードボタン４５０および動画撮影ボタン４６０は、グリップ部３１０を把持した手の人差し指で操作可能な場所に位置する。
【００２４】
レリーズボタン４２０、露出補正ボタン４４０、モードボタン４５０、動画撮影ボタン４６０およびＡＦ作動ボタン４７０は、ボタン式の操作部材の一例である。サブコマンドダイヤル４００、メインコマンドダイヤル４８０および電源スイッチ４３０は、回転式の操作部材の一例である。サブコマンドダイヤル４００は、グリップ部３１０の上部に位置する。サブコマンドダイヤル４００は、ユーザがグリップ部３１０を把持した場合に、グリップ部３１０を把持した手の人差し指が位置する場所の近傍に位置する。
【００２５】
ＡＦ作動ボタン４７０およびメインコマンドダイヤル４８０は、グリップ部３１０を把持した手の親指で操作可能な場所に位置する。ＡＦ作動ボタン４７０およびメインコマンドダイヤル４８０は、上部筐体５００における、カメラ本体３００の筐体の背面部の一部を形成する場所に位置する。ＡＦ作動ボタン４７０およびメインコマンドダイヤル４８０は、上部表示パネル４１０とカメラ本体３００の背面筐体との間に位置する。
【００２６】
吊金具２００は、ユーザがグリップ部３１０を手で把持した場合に、吊金具２００自体や三角リング１００がユーザの手の邪魔になりにくい位置に設けられている。具体的には、ユーザがグリップ部３１０を右手で把持している場合に、操作部３２０に設けられた操作部材をユーザが右手で操作しようとしたときに、吊金具２００自体や三角リング１００が操作の邪魔になりにくい位置に設けられる。そのため、ユーザは、三角リング１００をカメラ本体３００に取り付けた状態で、グリップ部３１０を把持したまま、操作部３２０に設けられた操作部材を容易に操作できる。
【００２７】
上部筐体５００における左側上面部の操作部４９０には、回転式の操作部材の一例としてのレリーズモードダイヤルならびにボタン式の操作部材としてのブラケット撮影設定ボタン、フラッシュモード設定ボタンおよび測光モード設定ボタン等が設けられる。吊金具２１０は、カメラ本体３００の左側側部における、操作部４９０の近傍に設けられる。ユーザがグリップ部３１０を右手で把持している状態でも、ユーザは左手で操作部４９０を自由に操作することができる。そのため、カメラ本体３００の左側側部に吊金具２１０を設けてあっても、ユーザが操作部４９０等を操作するときに、吊金具２１０自体や三角リング１１０が邪魔になることがない。
【００２８】
図５Ａは、吊金具２００が固定された上部筐体５００の断面図を示す。図５Ｂは、吊金具２００が固定された上部筐体５００を筐体内側から見た場合の斜視図を示す。
【００２９】
上部筐体５００には、上部表示パネル４１０とグリップ部３１０との間の斜面部に、開口５０２が形成されている。吊金具２００は、開口５０２から筐体内へ挿入される挿入部２０４を有する。挿入部２０４はネジ切りされており、挿入部２０４がネジ５１０でねじ止めされることにより、吊金具２００が上部筐体５００に固定される。
【００３０】
上部筐体５００の、上部表示パネル４１０とグリップ部３１０との間に斜面部を設けているので、吊金具２００を上部筐体５００に固定するためのスペースを確保することができる。例えば、上部筐体５００の開口５０２の周部を肉厚に形成することができる。そのため、上部筐体５００において、吊金具２００を固定する部位の強度を高めることができる。開口５０２の周部を肉厚に形成することで、盛り上がり部３３０が形成される。
【００３１】
図６は、リングユニットの外観を示す。図７は、リングユニットを他の方向から見た場合の外観を示す。図８は、リングユニットを、頂部から見た場合の外観を示す。図６−８等に関連して説明するように、リングカバー１０は、三角リング１００に装着されている場合に三角リング１００から外れないよう、吊金具２００の周部の盛り上がり部３３０に適応した形状を有する。具体的には、リングカバー１０は、盛り上がり部３３０に対する逃げ形状を有する。
【００３２】
リングカバー１０は、装着部２０ａ、装着部２０ｂ、連結部３０および連結部４０を有する。装着部２０ａには、三角リング１００の第１の部位が装着される。装着部２０ｂには、三角リング１００の第２の部位が装着される。三角リング１００は、装着部２０ａおよび装着部２０ｂそれぞれにおいて外側から装着される。
【００３３】
具体的には、装着部２０ａおよび装着部２０ｂには、三角リング１１０の互いに異なる一辺が装着される。具体的には、装着部２０ａには、三角リング１１０の頂部１０１と頂部１０２との間の辺が装着される。装着部２０ｂには、三角リング１１０の頂部１０１と頂部１０３との間の辺が装着される。このように、装着部２０ａには、三角リング１００の第１の辺における部位が装着され、装着部２０ｂには、三角リング１００の第２の辺における部位が装着される。
【００３４】
装着部２０ａは、外周側の面２２ａと内周側の面とを有する。装着部２０ａの内周側の面が、三角リング１００に嵌合する嵌合凹部を形成する。嵌合凹部が三角リング１００の一辺に嵌合することにより、装着部２０ａには三角リング１００が装着される。装着部２０ｂには装着部２０ａとは異なる部位が装着される点を除いて、装着部２０ａと同様に三角リング１００が装着される。装着部２０ａおよび装着部２０ｂを三角リング１００に外側から装着することで、三角リング１００がリングカバー１０に装着される。リングカバー１０は、連結部３０の外面３１が上部筐体５００に対向するように三角リング１００に取り付けられる。
【００３５】
連結部３０は、装着部２０ａと装着部２０ｂとの間を連結する。具体的には、連結部３０は、装着部２０ａおよび装着部２０ｂを三角リング１００に装着した状態において、三角リング１００の中空部を渡って装着部２０ａと装着部２０ｂとの間を連結する。連結部３０は、装着部２０ａが装着する部位と装着部２０ｂが装着する部位との間を、三角リング１００に沿う距離より短い距離で連結する。
【００３６】
連結部４０は、装着部２０ａと装着部２０ｂとを連結する。具体的には、連結部４０は、三角リング１００の頂部１０２および頂部１０３を含む部分に沿う形状を有する。このように、連結部４０は、装着部２０ａおよび装着部２０ｂを三角リング１００に装着した状態において、三角リング１００において装着部２０ａおよび装着部２０ｂに装着されない部分に沿う形状を有する。このため、三角リング１００の中空部は、環状部６００と環状部６１０とに分割される。
【００３７】
装着部２０ａおよび装着部２０ｂを三角リング１００に装着した状態において、連結部３０は、三角リング１００において装着部２０ａおよび装着部２０ｂに装着されない上側部分とともに、カメラ本体３００に三角リング１００を取り付けるための環状部６００を形成する。具体的には、環状部６００の開口は、三角リング１００の頂部１０１を含む部分の内側と、連結部３０の上面３４とにより画定される。
【００３８】
リングカバー１０および三角リング１００によるリングユニットは、環状部６００が吊金具２００の環状部２０２と交差するように、カメラ本体３００に取り付けられる。具体的には、環状部２０２に三角リング１００を挿通した後、環状部２０２が環状部６００と交差するように、リングカバー１０を三角リング１００に装着する。環状部６００は、環状部２０２を形成する環状部材より大きい。そのため、リングユニットは、カメラ本体３００に取り付けられた状態で、吊金具２００の周りを運動することができる。
【００３９】
連結部３０は、三角リング１００が吊金具２００に取り付けられている場合に、三角リング１００がどの向きにある場合でも、上部筐体５００の盛り上がり部３３０の頂部が当接しない形状を有する。具体的には、連結部３０は、装着部２０ａおよび装着部２０ｂの外周側の面に続く外面３１に、凹形状の逃げ部を有する。より具体的には、連結部３０の外面３１は、盛り上がり部３３０に対する逃げ部として機能する湾曲凹部を有する。湾曲凹部は、盛り上がり部３３０が湾曲凹部の最凹部に当接しない深さを有する。そのため、三角リング１００の他の部位は上部筐体５００と当接するものの、湾曲凹部の最凹部は上部筐体５００に当接しない。そのため、リングカバー１０が三角リング１００から外れるまで連結部３０が外力で容易に変形することはない。上部筐体５００の他の部位が上部筐体５００の盛り上がり部３３０等と接触しても、リングカバー１０は三角リング１００から外れるまで大きく変形することはない。
【００４０】
連結部３０は、外面３１の反対側の内面３２に、逃げ部の凹形状に対応する凸形状を有する。具体的には、連結部３０の内面３２は、外面３１の湾曲凹部に沿う湾曲凸面を有する。すなわち、連結部３０は、略同一の厚さを有しつつ湾曲する形状を有する。そのため、連結部３０の一部が著しく薄くなることがなく、連結部３０の強度の低下を抑制できる。また、リングカバー１０が三角リング１００から外れるまで連結部３０が容易に変形することもない。そのため、逃げ部を持たせることで、かえって三角リング１００からリングカバー１０が外れ易くなることもない。よって、上部筐体５００の盛り上がり部３３０に対する逃げ部を持たせつつ、変形に強いリングカバー１０を提供できる。
【００４１】
図８により分かり易く示されるように、装着部２０ａおよび装着部２０ｂを三角リング１００に装着した状態において、連結部３０の内面３２は、三角リング１００から突き出ていない。また、外面３１に形成された凹部の深さは、外面３１と上面３４との境界において最も深く、外面３１と下面３３との境界において最も浅い。このように、外面３１の凹部の深さは、上面３４に近いほど深くなっている。そのため、外面３１の最凹部のどの位置にも、盛り上がり部３３０の頂部が当接しないようにすることができる。このように、連結部３０の外面３１には、少なくとも最凹部が盛り上がり部３３０に当接しない深さの凹形状を有する逃げ部が形成されている。
【００４２】
装着部２０ａは、３つの部分で形成され、３つの部分が３方向から三角リング１００を覆って三角リング１００にそれぞれ接する。このように、装着部２０ａは三角リング１００を握着する。具体的には、装着部２０ａは、連結部３０の外面に続く外面を有する第１部分と、第１部分に対向する第２部分と、第１部分と第２部分との間の第３部分とを有する。第１部分の内面、第２部分の内面および第３部分の内面により、三角リング１００が嵌合する上述した嵌合凹部が形成される。このように、装着部２０ａおよび装着部２０ｂを三角リング１００に装着した状態において、第１部分および第２部分は、三角リング１００を挟着する。そして、装着部２０ａは、第１部分の外面に、切り欠き面２８ａを有する。切り欠き面２８ａは、盛り上がり部３３０に対応する逃げ形状を持つ。装着部２０ｂも、装着部２０ａと同様の構造を持ち、装着部２０ｂも第１部分の外面に切り欠き面２８ｂを有する。
【００４３】
このように、リングカバー１０は全体として、盛り上がり部３３０に対する逃げ形状を有する。そのため、三角リング１００が吊金具２００に取り付けられている場合に、三角リング１００の可動範囲を広げることができる。また、リングカバー１０がカメラ本体３００に面的に接触してリングユニット全体を支えるようにすることができる。そのため、三角リング１００やリングカバー１０等に無理な力がかからないようにすることができる。
【００４４】
このように、リングカバー１０は全体として、カメラ本体３００の筐体に対する逃げ形状を有する。そのため、例えばカメラ本体３００にリングユニットを取り付けて携帯している最中に、リングカバー１０がカメラ本体３００の筐体に押し付けられて力が加わっても、リングカバー１０が三角リング１００から外れるまで変形することを抑制できる。
【００４５】
連結部４０は、三角リング１００の頂部１０２および頂部１０３を含む部分に沿う形状を有する。環状部６１０は、連結部３０の下面３３および連結部４０の上面４４によって画定される。環状部６１０は、ストラップベルト５を挿通する挿通口として機能する。ストラップベルト５の一端を環状部６１０から挿通することで、ストラップベルト５を三角リング１００と鎖交させることができる。このように、連結部３０および連結部４０は、ストラップベルト５を三角リング１００の中空部を介して三角リング１００に装着するための環状部６１０を形成する。
【００４６】
装着部２０ａおよび装着部２０ｂを三角リング１００に装着した状態において、連結部４０は、三角リング１００の外周より外側の位置を通って、装着部２０ａと装着部２０ｂとを連結する。具体的には、装着部２０ａおよび装着部２０ｂを三角リング１００に装着した状態において、連結部４０は、少なくとも頂部１０２および頂部１０３との間において、三角リング１００の外周より外側の位置を通る形状を有する。連結部４０は、装着部２０ａおよび装着部２０ｂを三角リング１００に装着した状態における外側の位置に、突起部４８を有する。突起部４８は、装着部２０ａおよび装着部２０ｂを三角リング１００に装着した状態において、三角リング１００が当該外側の位置より更に外へ移動するのを係止する。
【００４７】
具体的には、連結部４０は、三角リング１００に当接しない外面４１と、外面４１と反対側の内面４２とを有する。装着部２０ａおよび装着部２０ｂを三角リング１００に装着した状態において、内面４２には三角リング１００の側部が当接する。突起部４８は、内面４２から突出している。
【００４８】
三角リング１００は頂部１０１を頂点として下方に広がる２辺において、装着部２０ａおよび装着部２０ａに装着される。したがって、三角リング１００において装着部２０ａに装着される部位と装着部２０ａに装着される部位との間の間隔は、三角リング１００において装着部２０ａおよび装着部２０ｂに装着されない上側部分および下側部分のうち、上側部分における三角リング１００の間隔以上になる。この場合、突起部４８が存在しないと、三角リング１００は下方へ移動し易く、三角リング１００がリングカバー１０から抜け落ちてしまう場合がある。しかし、突起部４８が存在することで、三角リング１００が下方に移動しても、三角リング１００の周部を突起部４８で係止することができる。
【００４９】
このように、連結部４０は、装着部２０ａおよび装着部２０ｂを三角リング１００に装着した状態において、装着部２０ａおよび装着部２０ｂに装着されない下側部分における部位の外周より外側の位置を通って、装着部２０ａと装着部２０ｂとを連結する。そして、連結部４０に突起部４８を設けることによって、三角リング１００が当該外側の位置より更に外へ移動することが突起部４８によって係止される。そのため、三角リング１００が容易に抜け落ちてしまうことがない。
【００５０】
なお、突起部４８は、三角リング１００の移動を係止できる程度の高さを有する。例えば、突起部４８は、三角リング１００の上端より低い。そのため、突起部４８によるストラップベルト５の傷みを抑制できる。
【００５１】
以上に説明したように、リングカバー１０によれば、装着部２０が外れにくく、かつ、三角リング１００が抜け落ちにくいリングカバーを提供することができる。そのため、例えばストラップベルト５が環状部６１０に挿通されていない場合でも、リングカバー１０が三角リング１００から抜け落ちてしまう可能性を低減することができる。
【００５２】
本実施形態のリングカバー１０においては、装着部２０は、三角リング１００の３方向から覆う形状を有する。具体的には、装着部２０は、連結部３０の外面に続く外面を有する第１部分と、第１部分に対向する第２部分と、第１部分と第２部分との間の第３部分とを有する。しかし、三角リング１００は、装着部２０に種々の形態で装着されてよい。例えば、装着部２０の他の形態においては、装着部２０の第１部分は第２部分と完全に対向していなくてもよい。例えば、装着部２０の第１部分の内面は、第２部分の内面と平行でなくてよい。また、装着部２０の他の形態においては、装着部２０は第１部分に対向する第２部分を有しなくてよい。例えば、装着部２０は、装着部２０の第１部分および第３部分が２方向から三角リング１００を覆って三角リング１００にそれぞれ接するように三角リング１００に装着される。この形態では、装着部２０ａおよび装着部２０ｂは単体では三角リング１００に対して固定されない。しかし、装着部２０は連結部３０で連結されているので、装着部２０ａの第３部分および装着部２０ｂの第３部分は、三角リング１００をそれぞれ外側から押さえ付ける。それにより、リングカバー１０全体は三角リング１００に対して略固定される。このように、装着部２０は、三角リング１００を外側から引っ掛ける形状を有してよい。その他にも、装着部２０は種々の態様で三角リング１００に取り付けられてよい。
【００５３】
なお、三角リング１１０としては、上述した三角リング１００と同様の三角リングを適用することができる。また、リングカバー１１としては、上述したリングカバー１０と同様のリングカバーを適用することができる。
【００５４】
本実施形態では、リングに装着されるリングカバーの一例として、三角リング１００に装着されるリングカバー１０を取り上げて説明した。しかし、リングカバーが装着されるリングは、三角形以外の任意の形状を有してよい。例えば、リングは、四角形状のリング状部材であってよい。四角形状のリングに装着されるリングカバーは、対向する２辺がそれぞれ装着される装着部を有してよい。四角形状のリングに装着されるリングカバーの他の例としては、隣接する２辺がそれぞれ装着される装着部を有してもよい。リング状部材は、三角形状および四角形状以外の多角形を有してよい。リング状部材は、円形状、楕円形状等の直線部分を有しない形状を有してもよい。なお、リング状部材は、一部に間隙を有してもよい。すなわち、リング状部材は、完全に閉じた形状を有しなくてよい。
【００５５】
また、本実施形態では、リングカバー１０に装着される三角リング１００に取り付けられる機器の一例として、カメラ本体３００を取り上げて説明した。しかし、三角リング１００等のリング状部材が取り付けられる機器として、カメラ本体３００以外の種々の電子機器を適用の対象とすることができる。また、リング状部材が取り付けられる機器として、電子機器以外の種々の電気製品を適用の対象とすることができる。また、リングカバーが取り付けられる機器は、電気製品に限られない。リングカバーが取り付けられる機器としては、電気製品や機械製品等、種々の機器を適用の対象とすることができる。
【００５６】
また、リング状部材とリングカバーとを備えるリングユニットは、機器に取り付けられる必要はない。上述したリングカバー１０の特徴を、例えばリング状部材を保護するためのリングカバーに適用することができる。リングカバーおよびリング状部材はリングユニットとして提供されてよい。また、リングカバーは、カバー部材単体として提供されてよいことは言うまでもない。
【００５７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５８】
特許請求の範囲、明細書、および図面中において示した装置、システム、プログラム、および方法等における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５９】
１０、１１  リングカバー、５  ストラップベルト、２０  装着部、２２  面、２８  切り欠き面、３０  連結部、３１  外面、３２  内面、３３  下面、３４  上面、４０  連結部、４１  外面、４２  内面、４４  上面、４８  突起部、１００、１１０  三角リング、１０１、１０２、１０３  頂部、２００  吊金具、２０２  環状部、２０４  挿入部、２１０  吊金具、２１２  環状部、３００  カメラ本体、３１０  グリップ部、３２０  操作部、３３０  盛り上がり部、３４０  レンズ装着部、４００  サブコマンドダイヤル、４１０  上部表示パネル、４２０  レリーズボタン、４３０  電源スイッチ、４５０  モードボタン、４６０  動画撮影ボタン、４７０  ＡＦ作動ボタン、４８０  メインコマンドダイヤル、４９０  操作部、５００  上部筐体、５０２  開口、５１０  ネジ、６００、６１０  環状部
【図１】
2014092658.tif 000003
【図２】
2014092658.tif 000004
【図３】
2014092658.tif 000005
【図４】
2014092658.tif 000006
【図５Ａ】
2014092658.tif 000007
【図５Ｂ】
2014092658.tif 000008
【図６】
2014092658.tif 000009
【図７】
2014092658.tif 000010
【図８】
2014092658.tif 000011